(57)【要約】      （修正有）【課題】ブラシヘッドを交換することで細菌の増殖を防止し、且つ歯ブラシを廃棄する時のゴミ量と費用を減らし、更に押し桿でブラシヘッドを差し込むだけなので、交換が便利である歯ブラシを提供する。【解決手段】歯ブラシは、ハンドル１００、ブラシヘッド２００及び押し桿３００を含む。ハンドル内部は空心で滑動槽を形成する。ブラシヘッドはハンドルの一端に設置する。押し桿は滑動槽内に差し込み、押し桿の一端は掛合部３１０を設置し、且つ掛合部はブラシヘッドを掛合する。【選択図】図１
0003196438.tif 000002
【実用新案登録請求の範囲】
【請求項１】
歯ブラシにおいて、
内部が空心で滑動槽を形成するハンドルと、
該ハンドルの一端に設置するブラシヘッドと、
該滑動槽内に差し込み、一端には掛合部を設置し、且つ該掛合部に該ブラシヘッドを掛合する押し桿を含むことを特徴とする歯ブラシ。
【請求項２】
前記押し桿の別一端には押しボタンを設置し、且つ該押しボタンは該ハンドルの外側に突出して露出して該押し桿を押すのに用いることを特徴とする請求項１記載の歯ブラシ。
【請求項３】
前記ハンドル上には、該滑動槽に連通する案内槽を設置し、該押しボタンを該案内槽に差し込み、該押しボタンは該案内槽に沿って滑動することを特徴とする請求項２記載の歯ブラシ。
【請求項４】
前記ブラシヘッドは蟻穴を形成し、該ハンドル上には該蟻穴に対応する蟻ほぞを凸設することを特徴とする請求項１記載の歯ブラシ。
【請求項５】
前記蟻ほぞは、該ハンドルの縦方向に沿って伸びることを特徴とする請求項４記載の歯ブラシ。
【請求項６】
前記ブラシヘッド上には該掛合部を掛合するための掛合接続槽を成形することを特徴とする請求項１記載の歯ブラシ。
【請求項７】
前記案内槽内の一側は該掛合接続槽に対応して讓位槽を形成し、該押し桿が押されて該掛合部が該滑動槽に沿って移動し、該掛合部が該滑動槽に沿って移動する時、該讓位槽の口縁によって導かれ、該掛合接続槽から外れて該讓位槽へ入ることを特徴とする請求項６記載の歯ブラシ。
【請求項８】
前記ハンドル内にバネを設置し、且つ該バネの両端にはそれぞれ該ハンドル及び該押し桿を接続することを特徴とする請求項７記載の歯ブラシ。
【考案の詳細な説明】
【技術分野】
【０００１】
本考案は、歯ブラシに関するもので、特にブラシヘッドを交換する歯ブラシに係る。
【背景技術】
【０００２】
歯ブラシは、日常生活に於いて、口腔内を清潔に保つための必須の生活用品である。更に歯ブラシは毎日使用するため、消耗が早く、度々交換して清潔を保たなければならない。
【先行技術文献】
【特許文献】
【０００３】
【特許文献１】特開２０１０−２３４０４２号公報
【考案の概要】
【考案が解決しようとする課題】
【０００４】
解決しようとする問題点は、現在の歯ブラシは交換時、歯ブラシ１本すべてを廃棄しなければならないため、環境保護の点からも好ましくないだけでなく、家庭においては、家族全員の歯ブラシを定期的に交換することは大量のゴミが発生する点である。
【課題を解決するための手段】
【０００５】
本考案は、ハンドル、ブラシヘッド及び押し桿を含む。ハンドル内部は空心で滑動槽を形成する。ブラシヘッドはハンドルの一端に設置する。押し桿は滑動槽内に差し込み、押し桿の一端は掛合部を設置し、且つ掛合部はブラシヘッドを掛合することを最も主要な特徴とする。
【考案の効果】
【０００６】
本考案の歯ブラシは、ブラシヘッドを交換することで細菌の増殖を防止し、且つ歯ブラシを廃棄する時のゴミ量と費用を減らし、更に押し桿でブラシヘッドを差し込むだけなので、交換が便利であるという利点がある。
【図面の簡単な説明】
【０００７】
【図１】本考案の実施例の歯ブラシの立体指示図である。
【図２】本考案の実施例の歯ブラシの立体分解指示図である。
【図３】本考案の実施例の歯ブラシの別の立体分解指示図である。
【図４】本考案の実施例の歯ブラシの縦方向断面図である。
【図５】本考案の実施例の歯ブラシのブラシヘッドの横方向断面図である。
【図６】本考案の実施例の歯ブラシの押し桿の作動指示図である。
【考案を実施するための形態】
【０００８】
本考案は、ブラシヘッドを交換する歯ブラシを提供する。
【０００９】
本考案は、歯ブラシを提供し、それはハンドル、ブラシヘッド及び押し桿を含む。ハンドル内部は空心で滑動槽を形成する。ブラシヘッドはハンドルの一端に設置する。押し桿は滑動槽内に差し込み、押し桿の一端は掛合部を設置し、掛合部はブラシヘッドを掛合する。
【００１０】
押し桿の別一端は押しボタンを設置し、且つ押しボタンはハンドルの外表面に凸設して押し桿を押すのに用いる。ハンドル上には滑動槽に通じる案内槽を形成し、押しボタンは案内槽に差し込んで、押しボタンは案内槽に沿って滑動する。
【００１１】
ブラシヘッドは蟻穴を形成し、ハンドル上には蟻穴に対応する蟻ほぞを凸設する。蟻ほぞは、ハンドルに沿って縦方向に伸びる。
【００１２】
ブラシヘッド上には、掛合部を掛合するための掛合接続槽を形成する。案内槽内の一側は、掛合接続槽に対応し、讓位槽を成形する。押し桿が掛合部によって押されて滑動槽に沿って移動し、掛合部が滑動槽に沿って移動する時、讓位槽の口縁によって導かれ、掛合接続槽から外れ、讓位槽に移動する。ハンドル内にはバネを設置し、バネの両端はそれぞれハンドル及び押し桿を押さえる。
【００１３】
本考案の歯ブラシは交換するブラシヘッドを備えることで、歯ブラシを捨てる時に発生するゴミの量を減らし、押し桿が固定及び解放機構となり、ブラシヘッドの交換が便利になる。ブラシヘッドは更に低価で交換し、衛生的であり、経済的でもある。
【実施例】
【００１４】
図１から図３に示すとおり、本考案の実施例は歯ブラシを提供し、それはハンドル１００、ブラシヘッド２００及び押し桿３００を含む。
【００１５】
本実施例に於いて、ハンドル１００内部は空心であり、一端が開放した管体１１０を含み、管体１１０は開放端１１１を備え、且つ開放端１１１上に蓋体１２０を被せる。蓋体１２０の内側には滑動槽１２１を形成し、管体１１０開放端１１１の口縁には案内槽１１２を形成する。滑動槽１２１及び案内槽１１２はどちらもハンドル１００に沿って縦方向に伸びる。滑動槽１２１の一端は案内槽１１２に通じ、蓋体１２０は滑動槽１２１の別一端箇所で滑動槽１２１に通じる穿孔１２２を設置する。蓋体１２０の外側は、蟻ほぞ１２３を凸設し、蟻ほぞ１２３はハンドル１００に沿って縦方向に伸びる。管体１１０の内側は讓位槽１１３を形成し、讓位槽１１３は、案内槽１１２内の一側で配置し、且つ穿孔１２２に対応して配置する。
【００１６】
図３及び図４に示すとおり、本実施例のブラシヘッド２００の一側には、ブラシ毛２１０を設置し、且つブラシヘッド２００の別一側には蟻穴２２０及び掛合接続槽２３０を設置する。ブラシヘッド２００の蟻穴２２０は蟻ほぞ１２３に対応し、ハンドル１００の一端に設置する。
【００１７】
図５に示すとおり、押し桿３００は滑動槽１２１内に差し込む。押し桿３００の一端は掛合部３１０を設置し、掛合部３１０は金属片を湾曲させて構成するのが好ましい。更に掛合部３１０はブラシヘッド２００上の掛合接続槽２３０に掛合し、それによってブラシヘッド２００をハンドル１００に固定する。押し桿３００の別一端は押しボタン３２０を設置し、且つ押しボタン３２０はハンドル１００の外表面に突出し押し桿３００を押すのに用いる。ハンドル１００には滑動槽１２１に通じる案内槽１１２を形成し、押しボタン３２０を案内槽１１２に差し込むと、押しボタン３２０は案内槽１１２に沿って滑動する。
【００１８】
図６に示すとおり、使用者が押しボタン３２０を押すことで、押し桿３００を動かして滑動槽１２１内で軸方向に滑動する。押し桿３００は掛合部３１０が押されて滑動槽１２１に沿って移動し、掛合部３１０が滑動槽１２１に沿って移動した時、讓位槽１１３の口縁を押さえて導き、讓位槽１１３へ入り、それによって掛合接続槽２３０から離れてブラシヘッド２００が外れる。使用者はブラシヘッド２００を外して交換する。ハンドル１００内にはバネ３３０を設置し、バネ３３０の両端はそれぞれハンドル１００及び押し桿３００を押さえる。使用者が押しボタン３２０を離すと、バネ３３０は押し桿３００を復位させる。
【００１９】
ブラシヘッド２００をハンドル１００に装着する時、ブラシヘッド２００は掛合部３１０を押さえ、掛合部３１０が押圧され、且つ讓位槽１１３内まで押される。ブラシヘッド２００が掛合部３１０を通過し、且つブラシヘッド２００上の掛合接続槽２３０が掛合部３１０に対応する箇所まで移動した時，掛合部３１０は即座に戻り、掛合接続槽２３０内へ入り、ブラシヘッド２００を固定する。
【００２０】
本考案の歯ブラシは交換用のブラシヘッド２００を備え、且つそれは押し桿３００を設置し、ブラシヘッド２００を交換する固定及び解放機構とする。本考案の歯ブラシのブラシ毛２１０が摩耗して使用できなくなった時、ブラシヘッド２００を交換するだけでよく、歯ブラシを捨てなくても良い。拠って、公知の歯ブラシよりも環境に配慮している。更にブラシヘッド２００を交換するだけなので、歯ブラシ全体を交換するよりも費用が少なくて済み、経済的である。
【００２１】
以上述べた本考案の良好な実施例は本考案の請求範囲を制限するものではなく、その他、本考案の特許の精神に基づく同効果の変化に運用も、本考案の請求範囲に含む。
【符号の説明】
【００２２】
１００        ハンドル
１１０     管体
１１１  開放端
１１２  案内槽
１１３  讓位槽
１２０  蓋体
１２１  滑動槽
１２２  穿孔
１２３  蟻ほぞ
２００  ブラシヘッド
２１０  ブラシ毛
２２０  蟻穴
２３０  掛合接続槽
３００  押し桿
３１０  掛合部
３２０  押しボタン
３３０  バネ
【図１】
0003196438.tif 000003
【図２】
0003196438.tif 000004
【図３】
0003196438.tif 000005
【図４】
0003196438.tif 000006
【図５】
0003196438.tif 000007
【図６】
0003196438.tif 000008
【手続補正書】
【提出日】平成26年12月25日(2014.12.25)
【手続補正１】
【補正対象書類名】実用新案登録請求の範囲
【補正対象項目名】全文
【補正方法】変更
【補正の内容】
【実用新案登録請求の範囲】
【請求項１】
歯ブラシにおいて、
内部が空心で滑動槽を形成するハンドルと、
該ハンドルの一端に設置するブラシヘッドと、
該滑動槽内に差し込み、一端には掛合部を設置し、且つ該掛合部に該ブラシヘッドを掛合する押し桿を含むことを特徴とする歯ブラシ。
【請求項２】
前記押し桿の別一端には押しボタンを設置し、且つ該押しボタンは該ハンドルの外側に突出して露出して該押し桿を押すのに用いることを特徴とする請求項１記載の歯ブラシ。
【請求項３】
前記ハンドル上には、該滑動槽に連通する案内槽を設置し、該押しボタンを該案内槽に差し込み、該押しボタンは該案内槽に沿って滑動することを特徴とする請求項２記載の歯ブラシ。
【請求項４】
前記ブラシヘッドは蟻穴を形成し、該ハンドル上には該蟻穴に対応する蟻ほぞを凸設することを特徴とする請求項１記載の歯ブラシ。
【請求項５】
前記蟻ほぞは、該ハンドルの縦方向に沿って伸びることを特徴とする請求項４記載の歯ブラシ。
【請求項６】
前記ブラシヘッド上には該掛合部を掛合するための掛合接続槽を成形することを特徴とする請求項３記載の歯ブラシ。
【請求項７】
前記案内槽内の一側は該掛合接続槽に対応して讓位槽を形成し、該押し桿が押されて該掛合部が該滑動槽に沿って移動し、該掛合部が該滑動槽に沿って移動する時、該讓位槽の口縁によって導かれ、該掛合接続槽から外れて該讓位槽へ入ることを特徴とする請求項６記載の歯ブラシ。
【請求項８】
前記ハンドル内にバネを設置し、且つ該バネの両端にはそれぞれ該ハンドル及び該押し桿を接続することを特徴とする請求項７記載の歯ブラシ。